(57)【要約】【課題】光学読取可能な情報コード形態の音声情報の読取装置にカメラを使用して音声情報を正しく読み取ることができる、音声再生システムおよび電子カメラを提供する。【解決手段】焦点合わせの目印となる中心マーカー１８を備えた光学読取可能な音声コード１４をカメラ（デジタルカメラ）１０にて読み取るときに、カメラ１０が備えたＡＦ制御手段により中心マーカー１８をＡＦ検出ポイントとして焦点合わせを行う。ＡＦ制御により焦点合わせができないときにはカメラ１０の制御を撮影禁止とし、音声コード１４の読み取りを行わない。ＡＦが正しく動作できなかった場合に不用意に音声コード１４読み取りをすることがないため、ＡＦの誤動作により、音声データの変換誤動作をなくすことができる。【選択図】    図１
2004173172.tif 000002
【特許請求の範囲】
【請求項１】
光学的読み取り可能なコード形式に変換されて画像形成媒体上に形成されている音声データコードと、
前記音声データコードを撮影する電子カメラと、から成り、
前記電子カメラは、撮影レンズを介して前記音声データコードを撮影し画像信号に変換する撮像手段と、
前記音声データコード取得の際に前記撮影レンズを駆動して焦点合わせを行うオートフォーカス手段と、
前記オートフォーカス手段により合焦状態が得られたか否かを判定する合焦判定手段と、
前記合焦判定手段により合焦不能と判定された場合に撮影動作を禁止する一方、前記合焦判定手段により合焦状態と判定されたら撮影を許可する制御を行う撮影制御手段と、
前記オートフォーカス手段により前記撮影レンズを合焦位置に移動させて前記撮影手段により前記音声データコードを撮影して得られた画像データから音声データを復元する信号処理手段と、
前記信号処理手段により復元された音声データを再生する音声再生手段と、
を備えたことを特徴とする音声再生システム。
【請求項２】
撮影レンズと、前記撮影レンズを介して入射する光学像を電気信号に変換する撮像手段と、前記撮像手段を介して取得した画像データを記録媒体に記録する記録手段と、を有する電子カメラであって、
デジタル信号に変換された音声データをコード化した音声データコードを前記撮像手段により撮影する際に、前記撮影レンズを駆動して焦点合わせを行うオートフォーカス手段と、
前記オートフォーカス手段により合焦状態が得られたか否かを判定する合焦判定手段と、
前記合焦判定手段により合焦不能と判定された場合に撮影動作を禁止する一方、前記合焦判定手段により合焦状態と判定されたら撮影を許可する制御を行う撮影制御手段と、
前記オートフォーカス手段により前記撮影レンズを焦点位置に移動させて前記撮影手段により前記音声データコードを撮影して得られた画像データから音声データを復元する信号処理手段と、
前記信号処理手段により復元された音声データを再生する音声再生手段と、
を備えたことを特徴とする電子カメラ。
【請求項３】
前記合焦判定手段により合焦不能と判定された場合に、警告を発する警告手段を備えたことを特徴とする請求項２記載の電子カメラ。
【発明の詳細な説明】
【０００１】
【発明の属する技術分野】
本発明は音声再生システムおよび電子カメラに係り、特に音声情報を取り扱うデジタルカメラに好適な音声の再生記録技術に関する。
【０００２】
【従来の技術】
近年、デジタルカメラにボイスメモ等の情報記録機能および音声再生機能が組み込まれている製品が一般化している。通常は一枚の静止画に対応付けられた音声データをカメラが記録し、記録された音声データはカメラの音声再生機能により再生される。
【０００３】
特許文献１に開示された情報記録再生システムでは、音声等のオーディオ情報、カメラ等から得られる映像情報およびパソコン等から得られるデジタルコード等のいわゆるマルチメディア情報を光学的に読み取り可能なドットコードとして画像や文字と一緒に紙等の媒体上に記録している。そして、ペン型情報再生装置を用いてドットコードを読み込み、音声情報はペン型情報再生装置に取り付けられたイヤホン等の音声出力器に出力し、映像はペン型情報再生装置に接続されたＣＲＴ等の表示装置に出力し、また、デジタルコードはペン型情報再生装置に接続されたプリンター等の出力装置に出力するようになっている。
【０００４】
【特許文献１】
特開平６−２３１４６６号公報
【０００５】
【発明が解決しようとする課題】
しかしながら、特許文献１に開示された情報記録再生システムでは、マルチメディア情報であるドットコードを読み取り誤りなく読み取るために、ドットコードはデータの配列方向を検知するマーカーあるいは読み取り誤りを検知するための符号等を有する複雑な構成となり、ドットコードが複雑化、微細化すると、読取装置の撮像部が必要とする分解能が高くなる等、読取装置に対する要求が高くなる。また、データの配列方向を判別したり読み取り誤りの判別をしたりする等、ドットコードを解釈し再生する再生装置は高度な制御が必要となる。ペン型読取装置では一回の読取操作ではドットコードを確実に読み取りできないことを考慮し、読取装置を複数回走査して読み取りを行う等、読取装置の使用方法を工夫している。
【０００６】
本発明はこのような事情を鑑みてなされたもので、光学読取可能な情報コード形態の音声情報の読取装置にカメラを使用して音声情報を正しく読み取ることができる、音声再生システムおよび電子カメラを提供することを目的とする。
【０００７】
【課題を解決するための手段】
前記目的を達成するために本発明に係る音声再生システムは、光学的読み取り可能なコード形式に変換されて画像形成媒体上に形成されている音声データコードと、前記音声データコードを撮影する電子カメラと、から成り、前記電子カメラは、撮影レンズを介して前記音声データコードを撮影し画像信号に変換する撮像手段と、前記音声データコード取得の際に前記撮影レンズを駆動して焦点合わせを行うオートフォーカス手段と、前記オートフォーカス手段により合焦状態が得られたか否かを判定する合焦判定手段と、前記合焦判定手段により合焦不能と判定された場合に撮影動作を禁止する一方、前記合焦判定手段により合焦状態と判定されたら撮影を許可する制御を行う撮影制御手段と、前記オートフォーカス手段により前記撮影レンズを合焦位置に移動させて前記撮影手段により前記音声データコードを撮影して得られた画像データから音声データを復元する信号所と手段と、前記信号処理手段により復元された音声データを再生する音声再生手段と、を備えたことを特徴としている。
【０００８】
本発明によれば、音声データコードの読取装置としてカメラを使用し、カメラはオートフォーカス手段により撮影レンズの焦点合わせを行ってから音声データコードの撮影を行うので、ピントずれのない画像を得ることができる。さらに焦点合わせにより合焦状態を得られたか否かを検出し、合焦状態が得られないときには撮影を禁止するので、確実に良好なデータを得ることができる。また合焦が得られないときには警告を発するので、撮影レンズの合焦状態が得られず良好な音声データコードを得られないときにはオペレータに知らせることができる。
【０００９】
画像形成媒体とは、音声データコードが形成される媒体を意味し、音声データコードが印刷される用紙、プレートその他の印刷媒体や、音声データコードが映出されるＣＲＴ、液晶ディスプレイその他の画像表示装置などを包含するものである。
【００１０】
撮影禁止とは撮影開始手段からの入力を信号処理手段が受け付けず撮影が行われない制御や撮影開始手段が操作できなくなる制御のことである。
【００１１】
また、前記目的を達成するために本発明に係る電子カメラは、撮影レンズと前記撮影レンズを介して入射する光学像を電気信号に変換する撮像手段と、前記撮像手段を介して取得した画像データを記録媒体に記録する記録手段と、を有する電子カメラであって、デジタル信号に変換された音声データをコード化した音声データコードを前記撮像手段により撮影する際に、前記撮影レンズを駆動して焦点合わせを行うオートフォーカス手段と、前記オートフォーカス手段により合焦状態が得られたか否かを判定する合焦判定手段と、前記合焦判定手段により合焦不能と判定された場合に撮影動作を禁止する一方、前記合焦判定手段により合焦状態と判定されたら撮影を許可する制御を行う撮影制御手段と、前記オートフォーカス手段により前記撮影レンズを焦点位置に移動させて前記撮影手段により前記音声データコードを撮影して得られた画像データから音声データを復元する信号処理手段と、前記信号処理手段により復元された音声データを再生する音声再生手段と、を備えたことを特徴としている。
【００１２】
本発明によれば、オートフォーカス手段により撮影レンズの焦点合わせを確実に行うのでピントずれのない良好な画像を取得することができ、撮影レンズの合焦が得られないときには撮影動作を禁止する制御を行うので、確実に良好な音声データコードの画像データを得られる。さらに、良好な画像データから正確な音声が復元でき、再生することが可能である。
【００１３】
さらに、信号処理手段により復元された音声データを記録する記録処理手段を備えてもよい。
【００１４】
本発明の一態様に係る電子カメラは、前記合焦判定手段により合焦不能と判定された場合に、警告を発する警告手段を備えたことを特徴としている。
【００１５】
かかる態様によれば、警告手段により合焦不能であることをカメラはオペレータに知らせることができる。オペレータは合焦不能であることを知ることができ、良好な音声データが得られるまで撮影操作を繰り返すことができる。
【００１６】
さらに、合焦状態が達成されたら合焦情報を提供する合焦情報提供手段を付加してもよい。
【００１７】
【発明の実施の形態】
以下、添付図面に従って本発明に係る音声再生システムおよび電子カメラの好ましい実施の形態について説明する。
【００１８】
図１は光学読取可能な情報コード形式に記録された音声データコードをデジタルカメラにより取得する様子が示されている。
【００１９】
カメラ１０は被写体の光学像をデジタル画像データに変換して記録するデジタルカメラであって、音声再生機能を備えている。
【００２０】
符号１２で示した画像形成媒体（例えば用紙）にはメッセージ等の音声が光学読取可能な形式にコード化された二次元コード（以下音声コードと記載）１４および画角合わせの目印である領域マーカー１６、画角の中心合わせの目印であり焦点合わせの目印を兼ねる中心合わせ用マーカー（以下中心マーカーと記載）１８が形成されている。音声コード１４の形式にはバーコード、ドットコード等があるが、音声コード１４は音声情報を表すことが可能であればよく、任意の文字列、任意の数字列等、何れの形式でもよい。
【００２１】
本例の音声コード１４および領域マーカー１６、中心マーカー１８は画像形成媒体１２たる用紙上にカラー印刷されており、バー（色が付けられた部分）、スペース（白い部分）の太さ、パターンに加え、バーの色が意味（情報）を持っている。
【００２２】
図２は画像形成媒体１２に形成された音声コード１４および領域マーカー１６、中心マーカー１８の拡大図である。
【００２３】
領域マーカー１６および中心マーカー１８は音声コード１４と視覚的に区別可能な形状で形成されている。
【００２４】
図２では中心マーカー１８は断面形状が略長方形である画像形成媒体１２表面の略中心に形成されているが、中心マーカー１８の形成位置および形成数はこれに限定されない。領域マーカー１６が中心マーカー１８を兼ねる形態も可能であり、また、音声コード１４の一部が中心マーカーを兼ねる形態も可能である。
【００２５】
画像形成媒体１２の材質は紙に限定されず、音声コード１４、領域マーカー１６、中心マーカー１８をカメラ１０で撮影可能であれば金属や樹脂等でもよい。
【００２６】
図３乃至図７はカメラ１０の外観を示す正面図、背面図、平面図、底面図、および右側面図である。
【００２７】
図３に示すカメラ１０の前面には、沈胴式の撮影レンズ２０、ファインダー窓２１、ストロボ２２、ストロボ調光センサー２３、セルフタイマーランプ２４、マイク２６が設けられている。
【００２８】
また、カメラ１０の前面には、前記撮影レンズ２０の沈胴位置でレンズバリヤ駆動部２７を介して開閉されるレンズバリヤ２８（図８参照）が設けられている。なお、図３では、レンズバリヤ２８が開放された状態を示している。
【００２９】
図４に示すカメラ１０の背面には、ファインダー３０、モードダイヤル３２、右キー３４、左キー３６、上下レバー３７、メニュー／実行キー３８、キャンセル／戻るキー４０、表示キー４２および液晶モニタ４４が設けられている。
【００３０】
モードダイヤル３２は、カメラの機能（モード）を変更する手段であり、モードダイヤル３２を回動操作することにより、静止画撮影を行う撮影モード、撮影した画像を再生する再生モード、音声付き動画撮影を行うムービーモード、画像無しの音声記録を行うボイスレコーダモード、情報コード形式の音声データコードを撮影するコードモードに設定できる。
【００３１】
右キー３４および左キー３６は、それぞれ再生モード時に１コマ逆送りボタン、１コマ順送りボタンとして機能し、あるいは、メニュー画面にてカーソルを右左に移動させるボタンとして機能する。
【００３２】
また、上下レバー３７は再生機能や撮影時のズーム機能における倍率調整用ズームキー等として用いられる。
【００３３】
メニュー／実行キー３８は各モードの通常画面からメニュー画面へ遷移させる時、あるいは、選択内容の確定、処理の実行（確認）指示の時などに使用される。
【００３４】
キャンセル／戻るキー４０はメニューから選んだ項目の取り消し（キャンセル）や一つ前の操作状態に戻る時などに使用される。
【００３５】
表示キー４２は液晶モニタ４４をＯＮ／ＯＦＦ操作したり、再生方法や再生中のコマ番号等の表示／非表示を切り換えたりするための操作手段である。
【００３６】
液晶モニタ４４は、電子ビューファインダーとして使用できるとともに、撮影した画像やカメラに装填されたメモリカードから読み出した再生画像等を表示することができる。また、液晶モニタ４４は、撮影可能コマ数や再生コマ番号の表示、ストロボ発光の有無、マクロモード表示、記録画質（クオリティー）表示、画素数表示等の情報も表示される。
【００３７】
図５に示すカメラ１０の上面には、電源スイッチを兼ねたモード設定スイッチ４６およびレリーズボタン４８が設けられている。
【００３８】
モード設定スイッチ４６は、図５上でツマミが右方向に移動する時にはロックされ、ツマミが左方向に移動する時にはロックされないスライドスイッチであり、前記ツマミが右方向に移動してロックされると、オーディオモードを設定し、前記ツマミが左方向に移動する毎にカメラモードとカメラ内電源をＯＦＦにするＯＦＦモードとを交互に設定する。
【００３９】
レリーズボタン４８は２段階式に構成され、レリーズボタン４８を軽く押して止める「半押し（Ｓ１  ＝ＯＮ）」の状態で自動ピント合わせ（以下ＡＦと記載）および自動露出制御（以下ＡＥと記載）が作動してＡＦとＡＥをロックし、「半押し」から更に押し込む「全押し（Ｓ２＝ＯＮ）」の状態で撮影が実行される。レリーズボタン４８は、静止画の記録開始の指示を与える手段であるとともに、動画の録画ボタン（録画スタート／ストップボタン）およびボイスレコーダモード下での録音ボタン（録音スタート／ストップボタン）として兼用される。
【００４０】
図６に示すカメラ１０の底面には、メモリカードのスロットカバーを兼ねた電池カバー５０、および三脚ねじ穴５２が設けられている。
【００４１】
図７に示すカメラ１０の右側面（グリップと反対側の側面）には、音声／映像出力端子（ラインＯＵＴ）５４、リモコン端子５６、デジタル（ＵＳＢ）端子５８、電源入力端子６０、スピーカー６２が設けられている。
【００４２】
図８はカメラ１０の内部構成を示したブロック図である。
【００４３】
同図において、中央処理装置（ＣＰＵ）７０は、本カメラシステムを統括制御する制御部である。ＣＰＵ７０は、モードダイヤル３２、モード設定スイッチ４６、レリーズボタン４８等からの指示信号の入力に基づいてカメラ１０内の各回路の動作を制御する。
【００４４】
ＲＯＭ７１にはＣＰＵ７０が処理するプログラムおよび制御に必要な各種データ等が格納されている。ＲＡＭ７２は画像処理領域の他、ＣＰＵ７０が各種の演算処理等を行う作業用領域を有している。
【００４５】
撮影レンズ２０を通過した光は、図示せぬ絞りによって光量が調節された後、ＣＣＤイメージセンサ（以下ＣＣＤと記載）７４に入射する。ＣＣＤ７４の受光面には、多数のフォトセンサが平面的に配列されており、撮影レンズ２０を介してＣＣＤ７４の受光面に結像された被写体像は、各フォトセンサによって入射光量に応じた量の信号電荷に変換される。なお、ＣＣＤ７４は、シャッターゲートパルスのタイミングによって各フォトセンサの電荷蓄積時間（シャッタースピード）を制御する、いわゆる電子シャッター機能を有している。
【００４６】
このようにして蓄積された信号電荷は、その信号電荷に応じた電圧信号として順次読み出される。ＣＣＤ７４から順次読み出された電圧信号は、相関二重サンプリング回路（ＣＤＳ回路）７６に加えられ、ここで各画素ごとのＲ、Ｇ、Ｂ信号がサンプリングホールドされるとともに増幅され、Ａ／Ｄ変換器７８に加えられる。Ａ／Ｄ変換器７８は、ＣＤＳ回路７６から順次加えられるＲ、Ｇ、Ｂ信号をデジタル信号に変換して画像信号処理回路８０に出力する。
【００４７】
画像信号処理回路８０は、Ａ／Ｄ変換器７８から加えられる点順次のＲ、Ｇ、Ｂ信号を同時式に変換する同時化処理、ホワイトバランス調整、ガンマ補正、輝度／色差信号処理（ＹＣ処理）等の所定の画像処理を行う。画像信号処理回路８０で処理された画像データはＲＡＭ７２に格納される。撮影画像を表示出力する場合、ＲＡＭ７２から画像データが読み出され、このデータが内部バス８５を介して画像再生処理回路８６に転送される。
【００４８】
画像再生処理回路８６に送られたデータは、画像再生処理回路８６およびビデオエンコード回路８８を介して表示用の所定方式の信号（例えば、ＮＴＳＣ方式のカラー複合映像信号）に変換された後、液晶モニタ４４に出力されるとともに、音声／映像出力端子５４に出力される。ＣＣＤ７４から出力される画像信号によってＲＡＭ７２内の画像データが定期的に書き換えられ、その画像データから生成される映像信号が液晶モニタ４４に供給されることにより、ＣＣＤ７４を介して入力する画像がリアルタイムに液晶モニタ４４に表示される。撮影者は、液晶モニタ４４に映し出される画像（スルー画）、或いはファインダー３０によって撮影画角を確認できる。
【００４９】
モードダイヤル３２によって撮影モードが設定され、レリーズボタン４８が押されると（Ｓ２＝ＯＮ）、撮影開始指示（レリーズＯＮ）信号が発せられる。ＣＰＵ７０は、この指示信号の受入に呼応して、記録用の画像データの取り込みを開始する。なお、ＣＰＵ７０は、撮影動作に先立ち、レリーズボタン４８の半押し（Ｓ１  ＝ＯＮ）に応動してＡＦ制御およびＡＥ制御を行う。すなわち、ＣＰＵ７０はＣＣＤ７４から得られる画像データに基づいて焦点評価演算やＡＥ演算などの各種演算を行い、その演算結果に基づいてレンズ駆動用モータ９２のドライバー９０を制御し、撮影レンズ２０を合焦位置に移動させる一方、図示せぬアイリス駆動部を制御して絞りを適正絞り値に設定するとともにＣＣＤ７４の電荷蓄積時間を制御する。また、ＣＰＵ７０は、必要に応じてストロボ発光制御を行う。
【００５０】
レリーズボタン４８全押し（Ｓ２＝ＯＮ）に応動して取り込まれた画像データは、ＹＣ処理その他の所定の信号処理を経てＲＡＭ７２に格納される。ＣＰＵ７０は圧縮伸長処理回路９４にコマンドを送り、これにより圧縮伸長処理回路９４は、ＲＡＭ７２上に取り込まれた画像データ（輝度信号Ｙとクロマ信号Ｃｒ、Ｃｂ）を所定のフォーマット（例えば、ＪＰＥＧ方式）  に従って圧縮する。圧縮されたデータは、メディアコントロール回路９６を介してメモリカード９８に記録される。
【００５１】
本例のカメラ１０では、画像データを保存する手段として、例えばスマートメディア（Ｓｏｌｉｄ−Ｓｔａｔｅ  Ｆｌｏｐｐｙ  Ｄｉｓｋ  Ｃａｒｄ）が適用される。記録メディアの形態はこれに限定されず、ＰＣカード、コンパクトフラッシュ、磁気ディスク、光ディスク、光磁気ディスク、メモリースティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。リムーバブルメディアに限らず、カメラ１０に内蔵された記録媒体（内部メモリ）であってもよい。
【００５２】
カメラ１０には撮影後（記録前）に撮影結果を液晶モニタ４４に表示して、その撮影画像を記録するか否かをユーザーが選択できるようにした機能（プレビュー機能）が設けられている。ユーザーは、セットアップメニュー画面において、プレビュー機能の有効／無効を指定することができる。プレビュー機能が「有効」の場合、撮影直後に撮影画像が表示され、当該画像の記録を容認する場合は、ユーザーはメニュー／実行キー３８を押下して、「記録ＯＫ」の指示を入力する。この指示入力に応動して撮影画像がメモリカード９８に書き込まれる。また、液晶モニタ４４に表示された撮影画像の記録を希望しない場合、ユーザーはキャンセル／戻るキー４０を押下して「記録取消」の指示を入力する。この指示入力に応動して撮影画像の記録処理が取り消される。
【００５３】
また、静止画の撮影後に一定時間内の音声を記録できるボイスメモ機能を有している。静止画の撮影モード（オート撮影モード、またはマニュアル撮影モード）におけるメニュー画面でボイスメモ機能のＯＮ／ＯＦＦを選択できるようになっている。
【００５４】
ボイスメモ機能ＯＮが選択されている場合、撮影を実行して画像データをメモリカード９８に書き込み終わると、液晶モニタ４４には記録画像を背景とする録音スタンバイ画面が表示される。録音スタンバイ画面でキャンセル／戻るキー４０を押下した場合、ボイスメモ録音を実行せずに、通常の撮影画面に遷移する。
【００５５】
一方、レリーズボタン全押し（Ｓ２＝ＯＮ）でボイスメモ録音を開始し、その後レリーズボタン４８の半押し（Ｓ１＝ＯＮ）で録音を完了する。ここでメニュー／実行キー３８を押下すると音声データをメモリカード９８に書き込む処理が実行される。録音中にキャンセル／戻るキー４０を押下した場合は録音がキャンセルされ、録音スタンバイ画面に戻る。
【００５６】
録音が一定時間（例えば３０秒間）を超えると録音は強制的に終了され、液晶モニタ４４には録音終了画面が表示される。ここでメニュー／実行キー３８を押下すると、録音内容がメモリカード９８に書き込まれる。録音のやり直しを希望する場合には、キャンセル／戻るキー４０を押下して録音スタンバイ画面に戻す。こうしてボイスメモ機能による音声記録が完了すると、通常の撮影モードに復帰して、撮影が可能となる。
【００５７】
次に、ＡＥ、ＡＦ制御について詳述する。Ａ／Ｄ変換器７８から出力された信号は、ＡＥ演算部１０２およびＡＦ演算部１０４に加えられる。前記ＡＥ演算部１０２はＲ、Ｇ、Ｂ信号を積算し、その積算値をＣＰＵ７０に提供する。ＣＰＵ７０は、ＡＥ演算部１０２から入力する積算値に基づいて被写体の平均的な明るさ（被写体輝度）を検出し、撮影に適した露出値（撮影Ｅｖ値）を算出する。レリーズボタン４８半押し時に、上述のＡＥ測光動作を複数回繰り返して正確な露出値を求める。求めた露出値と所定のプログラム線図に従い、撮影時の絞り値とシャッタースピードが決定される。そして、レリーズボタン４８全押し時に、絞り駆動部（不図示）および電子シャッターを制御して最適な露光値を得る。
【００５８】
ＡＦ演算部１０４は、図９に示すように、ハイパスフィルター（ＨＰＦ）１０５、絶対値化処理部１０６、ＡＦエリア抽出部１０７、および積算部１０８を備えている。ハイパスフィルター１０５は、Ａ／Ｄ変換器７８から出力されるＧ信号の高周波成分のみを通過させる。絶対値化処理部１０６はハイパスフィルター１０５からの出力信号の絶対値をとり、ＡＦエリア抽出部１０７は、画面内（例えば画面中央部）に予め設定されているフォーカス対象エリア（以下ＡＦエリアと記載）内の信号を切り出す処理を行う。積算部１０８はＡＦエリア内の絶対値データを積算し、得られた積算値（焦点評価値に相当）をＣＰＵ７０に提供する。
【００５９】
ＣＰＵ７０は撮影レンズ２０を移動させながら、複数のＡＦ検出ポイントでＡＦ演算を行い、各ＡＦポイントで算出された焦点評価位置を総合して、焦点評価値が最大となるところを合焦位置として決定する。そして、求めた合焦位置に撮影レンズ２０を移動させるようレンズ駆動ドライバー９０を介してレンズ駆動モータ９２を制御する。
【００６０】
モードダイヤル３２によってコードモードが設定されると、情報コード形式の音声データコード撮影が行われる。情報コード形式の音声データコード撮影では、まず、音声コード１４をカメラ１０の撮像手段により撮影する。撮影された音声コード１４は所定の信号処理を施され、画像としてＲＡＭ７２に一時記憶される。その後、ＣＰＵ７０はＲＯＭ７１に格納されたデコードプログラムを起動し、ＲＡＭ７２に記憶された音声コード（画像）を読み出す。読み出された音声コード（画像）は音声データに変換され、メモリカード９８に記録される。
【００６１】
図１０はコードモードの制御を示したフローチャートである。
【００６２】
モードダイヤル３２によりコードモードが設定されると（ステップＳ１０）、ＣＰＵ７０はＲＯＭ７１に格納されたデコードプログラムを起動し（ステップＳ１６）、デコードプログラムが起動されると、図１１に示すとおり、液晶モニタ４４にはコードモード状態を示す「コード」表示１１０および、画角合わせ用枠１１２、中止合わせマーク１１４が表示される（図１０のステップＳ１８）。レリーズボタン４８半押し（Ｓ１＝ＯＮ）が行われると（ステップＳ２０）、ＡＥ、ＡＦ制御および所定の信号処理が行われ（ステップＳ２２）、取り込まれれた音声コード１４は画像形式ファイルとして、一時ＲＡＭ７２に格納される（ステップＳ２４）。ＡＥ、ＡＦ制御（ステップＳ２２）については後述する。
【００６３】
撮影レンズが合焦位置に移動すると、マーカー検出が行われる（ステップＳ３０）。マーカー検出では、液晶モニタ４４に表示された画角合わせ用枠１１２と画像形成媒体１２に形成された領域マーカー１６が重なっているかを検出する。画角合わせ用枠１１２と領域マーカー１６が重ならない場合（ＮＯ判定時）には、図１２に示すマーカー警告表示１３０が液晶モニタ４４に表示され（図１０のステップＳ３２）、カメラ１０の制御はレリーズボタン４８半押し（Ｓ１＝ＯＮ）待ち状態に遷移する。
【００６４】
画角合わせ用枠１１２と領域マーカー１６が重なると（ＹＥＳ判定時）、液晶モニタ４４に表示されている画角合わせ用枠１１２が非表示に変わる（ステップＳ３３）。レリーズボタン４８全押し（Ｓ２＝ＯＮ）により（ステップＳ３４）、ＲＡＭ７２に格納された音声情報は画像信号処理回路８０に読み出される（ステップＳ３６）。
【００６５】
読み出された画像データは音声データに復元可能であるか判定され（ステップＳ３８）、変換できないと判定された場合には（ＮＯ判定）該画像データは破棄され（ステップＳ３９）、音声データに変換され（ステップＳ３８）、カメラ１０の制御はレリーズボタン４８半押し（Ｓ１＝ＯＮ）待ち状態に遷移する。
【００６６】
ステップ３８において、音声データに変換できると判定された場合には（ＹＥＳ判定）、画像データである音声コードを音声データに変換する（ステップＳ４０）。
【００６７】
本実施形態ではマーカー警告は液晶モニタ４４に警告画面表示する形態を例示したが、マーカー警告はブザーあるいは音声等の警告音による形態が可能である。さらに、画面表示と警告音を併用してもよい。
【００６８】
また画角合致報知は画角合わせ用枠１１２を表示から非表示に切り換える形態を示したが、音声またはブザーによる報知、あるいは画角合致報知画面を液晶モニタ４４に表示する形態による報知方法が可能である。
【００６９】
ここで液晶モニタ４４には、図１３に示す音声再生選択画面１４０が表示される。音声再生選択画面１４０において音声再生を行うあるいは音声再生を行わないの何れかを選択する（図１０のステップＳ４２）。
【００７０】
音声再生選択画面１４０において「いいえ」（ＮＯ、音声再生を行わない）を選択すると、音声処理回路１００にてＷＡＶＥ形式等所定の音声ファイル形式に変換され（ステップＳ４４）、メディアコントロール回路９６を介してメモリカード９８に記録される（ステップＳ４６）。
【００７１】
また、音声再生選択画面１４０において「はい」（ＹＥＳ、音声再生を行う）を選択すると、カメラ１０に備えられた音声再生機能により、音声が再生される（ステップＳ４８）。
【００７２】
音声再生が終了すると、液晶モニタ４４は、図１４に示す音声データ処理選択画面１５０が表示され、再生した音声をメモリカード９８に記録するか、再生した音声を消去するかを選択する（図１０のステップＳ５０）。
【００７３】
音声データ処理選択画面１５０において「いいえ」（ＮＯ、再生した音声を記録しない）を選択すると、該音声データは消去され、カメラ１０の制御はＳ１＝ＯＮ待ち（ステップＳ２０）に遷移する。
【００７４】
一方、音声データ処理選択画面において「はい」（ＹＥＳ、再生した音声を記録する）を選択すると、音声データは音声処理回路１００に転送され、音声処理回路にてＷＡＶＥ形式等所定の音声ファイル形式に変換され（ステップＳ４４）、メモリカード９８に記録される（ステップＳ４６）。
【００７５】
本実施形態では、モードダイヤル３２によりコードモードと他のモードとの切り換えを行ったが、モード切換はモードダイヤル３２による切り換えに限定されず、ソフトウエアによるモード切換が可能である。
【００７６】
ソフトウエアによるモード切換の一例を挙げると、撮影モードにおいてモード切換（メニュー）画面を表示し、前記メニュー画面上でコードモードに切り換える形態である。
【００７７】
図１５は、ＡＥ、ＡＦの制御（図１０のステップＳ２２）の手順を示すフローチャートである。レリーズボタン４８が半押し（Ｓ１＝ＯＮ）され、処理がスタートすると（ステップＳ２００）、ＣＣＤ７４を駆動して測光用の画像信号の取り込みを行う（ステップＳ２１０）。入力した画像信号は、ＡＥ積算部１０２において演算処理され（ステップＳ２１２）、ステップＳ２１２のＡＥ演算で求めた露出値に従って、適正な露光量が得られるように露出制御を実行する（ステップＳ２１６）。そして、適正露出制御のもとでＡＦ演算動作を行い（ステップＳ２１８）、画像形成媒体１２に形成された中心マーカー１８を含む画面中心部の所定エリアをＡＦ検出エリア（フォーカスエリア）として焦点評価値を計算する。ＡＦ演算動作の結果、焦点評価値が最大となる合焦位置を検出することができたか否かの判定を行う（ステップＳ２２０）。
【００７８】
合焦位置を検出することができない（ステップＳ２２０でＮＯ判定となる）ときにはステップＳ２２２へ進む。ステップＳ２２２では、液晶モニタ４４には図１６に示す合焦警告画面３００が表示され、カメラの制御は撮影禁止モードに遷移する（図１５のステップＳ２２４）。撮影禁止モードではレリーズボタン４８全押しによるＳ２＝ＯＮ信号がＣＰＵ７０に入力されても、ＣＰＵ７０はＳ２＝ＯＮ信号を受け付けない処理を行う。
【００７９】
カメラ１０の制御状態が撮影禁止モード（ステップＳ２２４）に遷移すると、焦点評価値のピーク値を検出できなかった場合の対応措置として、フォーカス制御を手動操作で行うかを選択するマニュアルフォーカス（以下ＭＦと記載）選択画面３１０（図１７）が液晶モニタ４４に表示される（図１５のステップＳ２２６）。
【００８０】
ステップＳ２２６にて「いいえ」（ＮＯ、ＭＦを行わない）を選択すると、液晶モニタ４４には撮影を続けるかあるいは撮影をキャンセルするかを選択するキャンセル選択画面３２０（図１８）が表示される（図１５のステップＳ２２８）。
【００８１】
キャンセル画面で「いいえ」（ＮＯ）を選択すると撮影禁止状態が保持され（図１５のステップＳ２２４）、液晶モニタ４４には図１７に示すＭＦ選択画面が表示される。「はい」（ＹＥＳ）を選択するとカメラ１０の制御はＳ１＝ＯＮ待ち（図１０のステップＳ２０）に遷移する。
【００８２】
一方、ステップＳ２２６にて「はい」（ＹＥＳ、ＭＦを行う）を選択すると、液晶モニタ４４には図１１に示す画角合わせ用枠１１２と中心合わせマーク１１４が表示される。オペレータは中心合わせマーク１１４を見ながら上下レバー３７を操作して（図１５のステップＳ２３０）、撮影レンズ２０を移動させ（ステップＳ２３２）、次のステップに進む。
【００８３】
撮影レンズの移動が完了すると、カメラ１０の制御はレリーズボタン４８半押し（Ｓ１＝ＯＮ）待ちに遷移する（ステップＳ２３４）。レリーズボタン４８半押し（Ｓ１＝ＯＮ）により、カメラ１０は露出制御およびＡＷＢ制御を行い（ステップＳ２３６）、カメラ１０の制御は撮影許可モードに遷移する（ステップＳ２３８）。レリーズボタン半押しがされず（Ｓ１＝ＯＮにならない）場合には、カメラの制御はＭＦ制御可能な状態（ステップＳ２３０）に遷移する。
【００８４】
ステップＳ２２０において合焦位置が検出できたら（ＹＥＳ判定時）、液晶モニタ４４に表示されていた中心合わせマーク１１４が非表示となり（ステップＳ２４０）、求めた合焦位置へ撮影レンズ２０を移動させ（ステップＳ２４２）、カメラ１０の制御は撮影許可モードとなり（ステップＳ２３８）、ＡＦ制御を終了する（ステップＳ２４４）。
【００８５】
本実施形態では合焦警告は液晶モニタ４４に警告画面表示する形態を例示したが、合焦警告はブザーあるいは音声等の警告音による形態が可能である。さらに、画面表示と警告音を併用してもよい。
【００８６】
また、本実施形態では、合焦検出報知は中心合わせマーク１１４を表示から非表示に切り換える形態を示したが、音声またはブザーによる報知、あるいは合焦検出報知画面を液晶モニタ４４に表示する形態による報知方法が可能である。
【００８７】
カメラ１０がムービーモードに設定されると、音声付きの動画記録が可能となる。レリーズボタン４８の押下（Ｓ２＝ＯＮ）によって録画動作がスタートし、もう一度レリーズボタン４８を押下（Ｓ１  ＝ＯＮ）すると録画動作が停止する。レリーズボタン４８を押下継続している期間、録画動作を行い、押下解除により録画を停止するようにしてもよい。動画データは、例えば、モーションＪＰＥＧ形式によってメモリカード９８に記録される。
【００８８】
カメラ１０がボイスレコーダモードに設定されると音声記録が可能となる。レリーズボタン４８の全押し（Ｓ２＝ＯＮ）で録音を開始し、その後レリーズボタン４８の半押し（Ｓ１  ＝ＯＮ）で録音を停止する。これにより、レリーズボタン４８の操作音が記録されないようになっている。マイク２６を介して入力された音声信号は、音声処理回路１００に入力される。音声処理回路１００は、入力した音声信号をデジタル信号に変換するとともに、所定のファイル形式（例えば、ＷＡＶＥ形式）  に変換する。こうして得られた音声データは、メディアコントロール回路９６を介してメモリカード９８に記録される。
【００８９】
モード設定スイッチ４６によってカメラモードが設定され、モードダイヤル３２によって再生モードが選択されると、メモリカード９８に記録されている最終コマのファイルがメディアコントロール回路９６を介して読み出される。最終コマのファイルが静止画ファイルの場合、この読み出された画像ファイルの圧縮データは、圧縮伸長処理回路９４を介して非圧縮のＹＣ信号に伸長される。
【００９０】
伸長されたＹＣ信号は、画像再生処理回路８６およびビデオエンコード回路８８を介して表示用の信号に変換され、液晶モニタ４４に出力されるとともに、音声／映像出力端子５４に出力される。
【００９１】
これにより、液晶モニタ４４にはメモリカード９８に記録されている最終コマのコマ画像が表示され、また、音声／映像出力端子５４にテレビ受像機（不図示）が接続されている場合には、テレビ受像機に最終コマのコマ画像が表示される。
【００９２】
その後、右キー３４が押されると順方向にコマ送りされ、左キー３６が押されると逆方向にコマ送りされる。そして、コマ送りされたコマ位置の画像ファイルがメモリカード９８から読み出され、上記と同様にしてコマ画像が液晶モニタ４４に再生される。最終コマのコマ画像が表示されている状態で順方向にコマ送りされると、メモリカード９８に記録されている第１コマ目の画像ファイルが読み出され、１コマ目のコマ画像が液晶モニタ４４やテレビ受像機その他の画像表示装置に再生される。
【００９３】
再生対象ファイルが動画ファイルの場合には、動画の先頭コマが代表画像として表示され、動画再生開始の指示を受け付ける画面になる。また、再生対象ファイルが音声ファイルの場合には、液晶モニタ４４上に音声ファイルであることを示す所定の図像が表示され、音声再生開始の指示を受け付ける画面になる。音声再生開始の指示を入力すると、メモリカード９８から音声ファイルが読み出され、音声処理回路１００により音声信号に変換された後、スピーカー６２又はリモコン端子５６に接続されるヘッドホン（不図示）を介して音声として出力される。
【００９４】
上記の如く構成されたカメラ１０は、情報コード形式に記録された音声情報である音声コード１４をカメラ１０にて撮影するコードモードを備えている。コードモードでは、画像形成媒体１２に形成された中心マーカー１８をＡＦ検出ポイントとし、カメラ１０はＡＦ制御手段により焦点合わせを行う。その際にオペレータが焦点合わせを行い易いように、液晶モニタ４４には中心合わせマーク１１４が表示される。ＡＦ制御により焦点合わせができないときにはカメラ１０の制御を読み取り（撮影）禁止とし、さらに、カメラ１０は警告を発する。ＡＦ制御により焦点合わせができないときには手動操作で焦点合わせを行うかあるいは再度ＡＦ制御を行うかの何れか一方をオペレータが選択でき、ＡＦ制御により焦点合わせができないときには手動操作にて焦点合わせを行うことも可能である。したがって、ＡＦが正しく動作しなかった場合には音声コード１４の読み込みを行わないため、ＡＦ制御の誤動作により音声コード１４の変換誤動作をなくすことができ、カメラ１０を使用して正確に音声コード１４を読み取ることができる。
【００９５】
本実施形態ではＡＦ制御方法としてコントラスト法と呼ばれる被写体像のコントラストが最大となる撮影レンズの位置を求め撮影レンズを目的の位置に移動させる制御方法を開示したが、適用可能なＡＦ制御方法はこれに限定されず、例えば位相差法などの焦点検出法、三角測量の原理を利用して被写体までの距離を測定し撮影レンズを移動させる測距法（パッシブ式又はアクティブ式）によるＡＦ制御方法がある。
【００９６】
また本実施形態では受光素子にＣＣＤイメージセンサを用いたが、ＣＭＯＳ型イメージセンサを用いてもよい。
【００９７】
上記にはデジタルカメラにおける実施形態を開示したが、本発明の適用範囲はデジタルカメラに限定されず、ムービーカメラにも適用可能である。
【００９８】
なお、本発明の原理は、カメラの制御プログラムにおけるアップデートファイルの読み込みやオプション機能追加の際のプログラムロードなどに応用できる。音声データに替えてプログラムデータ等を情報コード形式データとし、これを撮影し元のプログラム等に復元することができる。
【００９９】
【発明の効果】
本発明によれば、光学読取可能な音声データコードを電子カメラにて読み取るときに、電子カメラが備えたＡＦ制御手段により焦点合わせを行い、ＡＦ制御により焦点合わせができないときにはカメラの制御を撮影禁止とし、音声データコードの読み取りを行わない。ＡＦが正しく動作できなかった場合に不用意に光学読取可能な音声データコードの変換をすることがないため、ＡＦの誤動作により、音声データの変換誤動作をなくすことができる。
【図面の簡単な説明】
【図１】本発明の実施形態に係る音声再生システムの概略図
【図２】本発明の実施形態に係る音声データコードの拡大図
【図３】本発明の実施形態に係る電子カメラの正面図
【図４】本発明の実施形態に係る電子カメラの背面図
【図５】本発明の実施形態に係る電子カメラの上面図
【図６】本発明の実施形態に係る電子カメラの底面図
【図７】本発明の基本実施形態に係る電子カメラの右側面図
【図８】本発明の実施形態に係る電子カメラの電気的構成を示すブロック図
【図９】ＡＦ演算部の構成を示すブロック図
【図１０】コードモードの制御を示すフローチャート
【図１１】コードモードを示す液晶モニタの表示を示す図
【図１２】コードモードにおけるマーカー警告画面を示す図
【図１３】コードモードにおける音声再生選択画面を示す図
【図１４】コードモードにおける音声データ処理選択画面を示す図
【図１５】ＡＥ、ＡＦの制御を示すフローチャート
【図１６】マニュアルフォーカス選択画面を示す図
【図１７】コードモードにおける合焦警告画面を示す図
【図１８】キャンセル画面を示す図
【符号の説明】
１０…カメラ、１２…画像形成媒体、１４…音声コード、１８…中心マーカー、２０…撮影レンズ、４４…液晶モニタ、４８…レリーズボタン、６２…スピーカー、７０…ＣＰＵ、８０…画像信号処理回路、９０…レンズ駆動ドライバー、９２…レンズ駆動モータ、９８…メモリカード、１００…音声処理回路、１０４…ＡＦ演算部、１１４…中心合わせマーク、３００合焦警告画面、Ｓ１６デコードプログラム起動、Ｓ２２…ＡＥ、ＡＦ、所定の信号処理、Ｓ２１８…ＡＦ演算動作、Ｓ２２０…合焦位置検出、Ｓ２２２…合焦警告画面表示、Ｓ２２４…撮影禁止
【図１】
2004173172.tif 000003
【図２】
2004173172.tif 000004
【図３】
2004173172.tif 000005
【図４】
2004173172.tif 000006
【図５】
2004173172.tif 000007
【図６】
2004173172.tif 000008
【図７】
2004173172.tif 000009
【図８】
2004173172.tif 000010
【図９】
2004173172.tif 000011
【図１０】
2004173172.tif 000012
【図１１】
2004173172.tif 000013
【図１２】
2004173172.tif 000014
【図１３】
2004173172.tif 000015
【図１４】
2004173172.tif 000016
【図１５】
2004173172.tif 000017
【図１６】
2004173172.tif 000018
【図１７】
2004173172.tif 000019
【図１８】
2004173172.tif 000020